(57)【要約】【課題】被牽引機体を牽引機構により牽引することにより溝切体で上記圃場面に排水溝を形成することができ、作業者は圃場内を溝切体を備えた被牽引機体と一緒に同行する必要がなく、それだけ、作業者の労苦を軽減することができると共に溝切作業性を向上することができる。【解決手段】牽引機構により牽引され、圃場面を進行可能な被牽引機体１を備えてなり、上記被牽引機体に牽引進行に伴って上記圃場面に排水溝を形成可能な溝切体２を配設し、上記被牽引機体の左右両側部に安定車輪体３・３が配設され、上記被牽引機体に上記排水溝の溝深さを調節する重錘体の設置部６を配設してなる。【選択図】図１
2020115797.tif 000002
【特許請求の範囲】
【請求項１】
牽引機構により牽引され、圃場面を進行可能な被牽引機体を備えてなり、上記被牽引機体に牽引進行に伴って上記圃場面に排水溝を形成可能な溝切体を配設し、上記被牽引機体の左右両側部に安定車輪体が配設され、上記被牽引機体に上記排水溝の溝深さを調節する重錘体の設置部を配設してなることを特徴とする圃場溝切機。
【請求項２】
上記被牽引機体に上記安定車輪体の配置位置を調節する位置調節機構を設けてなることを特徴とする請求項１記載の圃場溝切機。
【発明の詳細な説明】
【技術分野】
【０００１】
本発明は、例えば水田等の圃場に水はけ用の排水溝を形成する圃場溝切機に関するものである。
【背景技術】
【０００２】
従来、この種の圃場溝切機として、機体に駆動源を含む進行機構を設けると共に圃場面に排水溝を溝切可能な溝切体を設けてなる構造のものが知られている。
【先行技術文献】
【特許文献】
【０００３】
【特許文献１】特許第３７７５９５７号
【特許文献２】特許第４０３２１０９号
【発明の概要】
【発明が解決しようとする課題】
【０００４】
しかしながら上記従来構造の場合、機体の進行に伴い作業者は圃場内を機体と一緒に同行する必要があり、それだけ、労苦を伴う作業になると共に作業性が低下することがあるという不都合を有している。
【課題を解決するための手段】
【０００５】
本発明はこれらの不都合を解決することを目的とするもので、請求項１記載の発明は、牽引機構により牽引され、圃場面を進行可能な被牽引機体を備えてなり、上記被牽引機体に牽引進行に伴って上記圃場面に排水溝を形成可能な溝切体を配設し、上記被牽引機体の左右両側部に安定車輪体が配設され、上記被牽引機体に上記排水溝の溝深さを調節する重錘体の設置部を配設してなることを特徴とする圃場溝切機にある。
【０００６】
又、請求項２記載の発明は、上記被牽引機体に上記安定車輪体の配置位置を調節する位置調節機構を設けてなることを特徴とするものである。
【発明の効果】
【０００７】
本発明は上述の如く、請求項１記載の発明にあっては、被牽引機体を牽引機構により牽引し、被牽引機体は圃場面を牽引進行することになり、上記被牽引機体の牽引進行に伴って溝切体で上記圃場面に排水溝を形成することができ、被牽引機体を牽引機構により牽引することにより溝切体で上記圃場面に排水溝を形成することができ、作業者は圃場内を溝切体を備えた被牽引機体と一緒に同行する必要がなく、それだけ、作業者の労苦を軽減することができると共に溝切作業性を向上することができ、かつ、上記被牽引機体の左右両側部に安定車輪体が配設されてなるから、被牽引機体を安定した状態で圃場面で牽引進行することができ、それだけ、溝切体により円滑に溝切作業を行うことができ、溝切作業性を向上することができ、上記被牽引機体に上記排水溝の溝深さを調節する重錘体の設置部を配設してなるから、重量が異なる重錘体や重錘体の数の調節により圃場面に対する溝切体の没入度合いを調節することができ、溝切体の没入度合いの調節により上記排水溝の溝深さを調節することができ、任意の溝深さの排水溝を溝切りすることができる。
【０００８】
又、請求項２記載の発明にあっては、上記被牽引機体に上記安定車輪体の配置位置を調節する位置調節機構を設けてなるから、圃場面に存在する稲株や夾雑物等に応じて安定車輪体の配置位置を調節することができ、安定車輪体を円滑に牽引進行することができ、溝切体により円滑に溝切作業を行うことができ、溝切作業性を向上することができる。
【図面の簡単な説明】
【０００９】
【図１】本発明の実施の形態例の全体斜視図である。
【図２】本発明の実施の形態例の全体側断面図である。
【図３】本発明の実施の形態例の全体平面図である。
【図４】本発明の実施の形態例の前断面図である。
【図５】本発明の実施の形態例の側断面図である。
【図６】本発明の実施の形態例の部分後断面図である。
【発明を実施するための形態】
【００１０】
図１乃至図６は本発明の実施の形態例を示し、図１、図２の如く、１は被牽引機体であって、図示省略の牽引機構により牽引され、これら牽引機構として、例えば、圃場の周辺部に配置された巻取ドラムを有するウインチ機構、圃場面Ｍや圃場周辺部に配置されたウインチ機構を備えたトラクタ等の各種の構造のものが用いられ、これら各種の牽引機構に牽引ロープや牽引ワイヤ等の牽引部材Ｒが備えられ、被牽引機体１の進行方向前部に図示省略の牽引機構の牽引ロープや牽引ワイヤ等の牽引部材Ｒに着脱連結される連結部１ａが設けられ、被牽引機体１は図示省略の牽引機構により牽引され、圃場面Ｍ、例えば、水田の田面を進行可能に形成され、上記被牽引機体１に牽引進行に伴って上記圃場面Ｍに排水溝Ｗを形成可能な溝切体２が配設されている。
【００１１】
この場合、上記溝切体２は、金属製の板材により形成され、図１、図２、図３、図６の如く、排水溝Ｗの対向する両内側斜面Ｗ１・Ｗ１に合う左右一対の傾斜板２ａ・２ａ、傾斜板２ａ・２ａの各々の上縁辺に突設された上縁板２ｂ・２ｂ及び底面に対向する底板２ｃからなり、断面は略Ｖ形状であって、平面視及び側面視は略先細三角形状に形成され、溝切体２は上記被牽引機体１の後部の渡板１ｂ、前部の縦板１ｃ及び桟板１ｄにより取り付けられ、かつ、桟板１ｄに左右一対の保持板１ｅ・１ｅが突設され、左右一対の保持板１ｅ・１ｅの前部間に前記図示省略の牽引機構の牽引ロープや牽引ワイヤ等の牽引部材Ｒに着脱連結される連結部１ａが設けられ、かつ、上記被牽引機体１の後部に車軸３ａが進行方向に直交状態に取り付けられ、車軸３ａの左右両端部に安定車輪体３・３が位置調節機構４により進行方向に対して直交方向に位置調節自在に設けられ、安定車輪体３・３はハブ部３ｂ、スポーク部３ｃ及び車輪部３ｄから構成され、この場合、上記位置調節機構４として、上記車軸３ａの軸方向に複数個の選択穴３ｅ・３ｅ・・が形成され、安定車輪体３・３のハブ部３ｂを車軸３ａに挿通し、選択された選択穴３ｅ・３ｅ間にハブ部３ｂを配置し、選択穴３ｅ・３ｅに止めピン３ｆを挿通し、安定車輪体３・３の配置位置を左右調節自在に構成している。
【００１２】
５は重錘体であって、図４、図５、図６の如く、上記被牽引機体１の後部に重錘体５の引掛部５ａを引掛可能な設置部６が形成され、重錘体５の設置及び重錐体５の重量調節により被牽引機体１を介して溝切体２の圃場土に対する穿入位置を調節し、溝切体２の圃場土に対する穿入位置の調節により上記排水溝Ｗの溝深さＨを調節するように構成している。
【００１３】
この実施の形態例は上記構成であるから、図５の如く、図示省略の各種の牽引機構の牽引ロープや牽引ワイヤ等の牽引部材Ｒを被牽引機体１の連結部１ａに連結し、被牽引機体１を図示省略の牽引機構により牽引し、被牽引機体１は圃場面Ｍを牽引進行することになり、上記被牽引機体１の牽引進行に伴って溝切体２で上記圃場面Ｍに排水溝Ｗを形成することができ、被牽引機体１を牽引機構により牽引することにより溝切体２で上記圃場面Ｍに排水溝Ｗを形成することができ、作業者は圃場内を溝切体２を備えた被牽引機体１と一緒に同行する必要がなく、それだけ、作業者の労苦を軽減することができると共に溝切作業性を向上することができ、かつ、上記被牽引機体１の左右両側部に安定車輪体３・３が配設されてなるから、被牽引機体１を安定した状態で圃場面Ｍで牽引進行することができ、それだけ、溝切体２により円滑に溝切作業を行うことができ、溝切作業性を向上することができる。
【００１４】
この場合、上記被牽引機体１に上記安定車輪体３・３の配置位置を調節する位置調節機構４を設けてなるから、圃場面Ｍに存在する稲株Ｋや夾雑物等に応じて安定車輪体３・３の配置位置を調節することができ、安定車輪体３・３を円滑に牽引進行することができ、溝切体２により円滑に溝切作業を行うことができ、溝切作業性を向上することができ、さらに、この場合、上記被牽引機体１に上記排水溝Ｗの溝深さＨを調節する重錘体５の設置部６を配設してなるから、重量が異なる重錘体５や重錘体５の数の調節により圃場面Ｍに対する溝切体２の没入度合いを調節することができ、溝切体２の没入度合いの調節により上記排水溝Ｗの溝深さＨを調節することができ、任意の溝深さＨの排水溝Ｗを溝切りすることができる。
【００１５】
尚、本発明は上記実施の形態例に限られるものではなく、例えば、被牽引機体１、溝切体２、安定車輪体３、位置調節機構４、重錘体５、設置部６の構造や形態等は適宜変更して設計される。
【００１６】
以上の如く、所期の目的を充分達成することができる。
【符号の説明】
【００１７】
Ｍ    圃場面
Ｗ    排水溝
Ｈ    溝深さ
１    被牽引機体
２    溝切体
３    安定車輪体
４    位置調節機構
５    重錘体
６    設置部
【図１】
2020115797.tif 000003
【図２】
2020115797.tif 000004
【図３】
2020115797.tif 000005
【図４】
2020115797.tif 000006
【図５】
2020115797.tif 000007
【図６】
2020115797.tif 000008